(57)【要約】      （修正有）【課題】幼稚園や小学校の運動会で、子供に贈る子供用記念メダルに関するものであって、子供が何時までも興味を持って愛用することができるものを提供する。【解決手段】上端にストラップ３の通し孔２を設けたメダル本体１の前面に、運動会のスナップ写真とか運動会の成績を表示した用紙等の収納部４を形成し、該収納部の前面には、表面にキャラクターを表現した蓋体６を開閉自在に軸着するか、開閉及び着脱自在に軸着したことを特徴としている。【選択図】図１
0003117257.tif 000002
【実用新案登録請求の範囲】
【請求項１】
上端にストラップの通し孔を設けたメダル本体の前面に、写真とか記録用紙の収納部を形成し、該収納部の前面には、表面にキャラクターを表現した蓋体を開閉自在に軸着したことを特徴とする子供用記念メダル。
【請求項２】
上端にストラップの通し孔を設けたメダル本体の前面に、写真とか記録用紙の収納部を形成し、該収納部の前面には、表面にキャラクターを表現した蓋体を開閉及び着脱自在に軸着し、蓋体の裏面には衣服等への取り付け用のフックを設けたことを特徴とする子供用記念メダル。
【考案の詳細な説明】
【技術分野】
【０００１】
本考案は、幼稚園とか小学校の運動会で、子供に贈る子供用記念メダルに関するものである。
【背景技術】
【０００２】
幼稚園や小学校の運動会において、子供達に贈与している記念メダルには、上端にストラップの通し孔を設けたメダル本体の前面に、子供の好むキャラクターを表現したものが広く使用されている。しかし、この種のものは従来から形状が殆ど同じであり、機能的には何ら変わるところがないので、子供に十分な興味を持たせることができなかった。
【考案の開示】
【考案が解決しようとする課題】
【０００３】
本考案は、子供が何時までも興味を持って愛用することができる子供用記念メダルを提供しようとするものである。
【課題を解決するための手段】
【０００４】
上記の目的を達成するために、請求項１の考案は、上端にストラップの通し孔を設けたメダル本体の前面に、写真とか記録用紙の収納部を形成し、該収納部の前面には、表面にキャラクターを表現した蓋体を設け、該蓋体の一端をメダル本体に開閉自在に軸着したことを特徴としている。
【０００５】
上記請求項１の子供用記念メダルは、蓋体を開いてメダル本体に設けた収納部に運動会の写真とか記録用紙を収容して使用する。
【０００６】
請求項２の考案は、上端にストラップの通し孔を設けたメダル本体の前面に、写真とか記録用紙の収納部を形成し、該収納部の前面には、表面にキャラクターを表現した蓋体を開閉及び着脱自在に軸着し、蓋体の裏面には衣服等への取り付け用のフックを設けたことを特徴としている。
【０００７】
上記請求項２の子供用記念メダルは、メダル本体に設けた収納部に運動会の写真とか記録用紙を収容したり、蓋体をメダル本体から離脱して裏面のフックにより、衣服や鞄に取り付けてキャラクターが表現されたバッジとかブローチとして使用したりする。
【考案の効果】
【０００８】
本考案の子供用記念メダルは、メダル本体に設けた収納部に運動会の写真とか記録用紙を収容することができ、しかも請求項２の子供用記念メダルは、蓋体をメダル本体から離脱してバッジとかブローチとしても使用することができるので、蓋体に表示されたキャラクターの魅力と相俟って、子供に永く愛用させることができる。
【考案を実施するための最良の形態】
【０００９】
以下、図１乃至図３を参照して、請求項１の考案の実施形態を詳述する。図１は子供用記念メダルの一部切欠き正面図であり、図２は同上側面図であり、図３は蓋体を展開した状態の縦断面図である。
【００１０】
図中の符号１はプラスチック製のメダル本体であり、上端にストラップ２の通し孔３を形成し、表面に写真等の収納部４を凹設している。この収納部４の四隅部には、写真等の四隅を挟持する保持溝５を形成している。符号６は上記収納部４内に遊嵌したプラスチック製の蓋体であり、該蓋体６の上端に設けた突部７をメダル本体の上端に設けた軸受け部８に嵌合し、枢軸９により開閉自在に軸着している。またこの蓋体６の表面にはキャラクターの凹凸模様１０を表現している。しかも蓋体６の内側には小物が収容できる凹部ａを形成している。尚符号１１は凹凸模様１０の下端に形成された開閉時の指掛け部である。
【００１１】
上記の実施形態にあっては、蓋体６を図２に鎖線で示すように開閉し、メダル本体１の収納部４内に運動会のスナップ写真とか運動会の記録等を記載した用紙を入れて、その四隅を保持溝５に差込むときは、子供は当時の事を何時までも思い出すことができる。従って、蓋体６に立体的に表現されたキャラクターによる凹凸模様１０と共に、長期に亘って愛用することができるのである。
【００１２】
蓋体６の下端には、凹凸模様１０による指掛け部１１を形成したから、園児でも蓋体６を容易に開閉することができる。また蓋体６を閉じた場合、凹部ａとメダル本体１の表面とにより構成される空間には、子供が大切にしている動物のミニチュア等を収納して携帯することができる。上記蓋体６が平面的な場合は、蓋体６の下端より指掛け部１１を上向きに突設すればよい。
【００１３】
次に、図１，図２及び図４，図５を参照して請求項２の考案を詳述する。図４は子供用記念バッジの要部を示す縦断面図であり、図５は子供用記念メダルの蓋体に取り付けたフックの斜視図である。
【００１４】
符号１２は、蓋体６の突部７に形成した軸孔であり、メダル本体１の軸受け部８に架設した枢軸９に回動可能に嵌合している。この軸孔１２には蓋体６を着脱し得るように、枢軸９の径よりやや小径の開口部１３を形成している。また符号１４は蓋体６を衣服等に固定するためのプラスチック製のフックである。その他の符号の説明は前記と同様のため省略する。尚、図１に示すように、枢軸９を突部７の左右両端より突設し、この枢軸９を左右の軸受け部８に回動自在に保持させる場合は、軸受け部８に開口部１３に相当する切欠きを設ければよい。
【００１５】
この実施形態は、前記の場合と同様に、メダル本体１の収納部４内に運動会のスナップ写真とか運動会の記録等を記載した用紙を入れるときは、子供は当時の事を何時までも思い出すことができるので、蓋体６に立体的に表現されたキャラクターによる凹凸模様１０と共に、長期に亘って愛用することができるのである。また、蓋体６の下端に形成された指掛け部１１により、蓋体６を容易に開閉することができ、蓋体６とメダル本体１とにより構成される空間には、子供が大切にしている動物のミニチュア等を収納して携帯することができる。
【００１６】
蓋体６をメダル本体１から取り外し、裏面に設けたフック１４を用いて衣服や鞄等に固定するときは、蓋体６はバッジとかブローチとして使用することができるので、更に利用価値が高まり、子供達に愛用されるものである。
【図面の簡単な説明】
【００１７】
【図１】本考案の実施形態を示す一部切欠き正面図である。
【図２】同上側面図である。
【図３】蓋体の展開状態を示す縦断面図である。
【図４】本考案の別の実施形態における要部を示す縦断面図である。
【図５】同上実施形態におけるフックの斜視図である。
【符号の説明】
【００１８】
１      メダル本体
２      ストラップ
３      通し孔
４      収納部
６      蓋  体
１０    凹凸模様
１１    指掛け部
１２    軸  孔
１３    開口部
１４    フック
【図１】
0003117257.tif 000003
【図２】
0003117257.tif 000004
【図３】
0003117257.tif 000005
【図４】
0003117257.tif 000006
【図５】
0003117257.tif 000007